(57)【要約】【課題】複数の支持手段を備えた装置筐体において、装置筐体の外部に緩衝材を配置することなく、支持手段から装置筐体に伝わる衝撃力を低減することにある。【解決手段】筐体枠手段２にて枠組みされる装置筐体１と、装置筐体１の底部に位置する筐体枠手段２に複数設けられ、装置筐体１を複数箇所で支持する支持手段３と、を備え、装置筐体１の底部に位置する筐体枠手段２のうち支持手段３の支持位置に対応した箇所に開口するように設けられる凹部４と、凹部４内に設けられる粘弾性を有する緩衝手段５と、を備え、更に好ましくは、凹部４内の緩衝手段５を覆うように設けられ、筐体枠手段２の弾性率よりも小さい弾性率で弾性変形する弾性変形手段６を備える。【選択図】図１
2019166957.tif 000002
【特許請求の範囲】
【請求項１】
筐体枠手段にて枠組みされる装置筐体と、
前記装置筐体の底部に位置する前記筐体枠手段に複数設けられ、前記装置筐体を複数箇所で支持する支持手段と、を備え、
前記装置筐体の底部に位置する前記筐体枠手段のうち前記支持手段の支持位置に対応した箇所に開口するように設けられる凹部と、
前記凹部内に設けられる粘弾性を有する緩衝手段と、を備えることを特徴とする装置筐体構造。
【請求項２】
請求項１に記載の装置筐体構造において、
前記凹部内の前記緩衝手段を覆うように設けられ、前記筐体枠手段の弾性率よりも小さい弾性率で弾性変形する弾性変形手段を備えることを特徴とする装置筐体構造。
【請求項３】
請求項２に記載の装置筐体構造において、
前記弾性変形手段は凹部の周縁に固定されることを特徴とする装置筐体構造。
【請求項４】
請求項２に記載の装置筐体構造において、
前記弾性変形手段は前記支持手段の取付部を兼用することを特徴とする装置筐体構造。
【請求項５】
請求項１乃至４のいずれかに記載の装置筐体構造において、
前記凹部は開口周縁部から開口中央部に向かって次第に深さが増加する形状を有することを特徴とする装置筐体構造。
【請求項６】
請求項１乃至５のいずれかに記載の装置筐体構造において、
前記凹部は断面円形状の深さ方向に向かって内径が次第に窄まる円錐台状の空間を有することを特徴とする装置筐体構造。
【請求項７】
請求項２乃至４のいずれかに記載の装置筐体構造において、
前記凹部の開口中央部の深さは前記弾性変形手段が弾性変形可能な範囲内に設定されていることを特徴とする装置筐体構造。
【請求項８】
請求項１乃至７のいずれかに記載の装置筐体構造と、
前記装置筐体に組み込まれて予め決められた処理を行う処理部と、を備えたことを特徴とする処理装置。
【発明の詳細な説明】
【技術分野】
【０００１】
本発明は、装置筐体構造及びこれを用いた処理装置に関する。
【背景技術】
【０００２】
従来における画像形成装置などの処理装置の装置筐体構造としては、例えば特許文献１，２に示すように複数の支持手段を備えた態様が既に知られている。
特許文献１には、緩衝キャスターの車輪支持部には、車軸受部と、幅が狭い撓み部と、衝撃吸収剤を取り付ける空間部とを設け、車輪に上向きの荷重が掛かると撓み部が撓んで衝撃を吸収し、更に、衝撃吸収剤で、車軸受部の荷重を支持すると共に、車輪受部の振動も吸収するようにした緩衝キャスター構造が開示されている。
特許文献２には、キャスター本体の脚部に形成した取付け穴に車輪を取付け、車輪を支持する軸の両端を軸受けで支承し、軸受けの外周と穴の内周との間に画成されるスペースを、ゴム弾性を有する例えばゴム或いはエラストマーで形成された緩衝部材で満たすキャスターが開示されている。
【先行技術文献】
【特許文献】
【０００３】
【特許文献１】特開２０１５−０６７１００号公報（実施例，図１）
【特許文献２】特開２００８−２５４５６５号公報（発明を実施するための最良の形態，図１）
【発明の概要】
【発明が解決しようとする課題】
【０００４】
この種の処理装置（例えば画像形成装置）は物流輸送されて設置場所に搬入されることになるが、当該製品の物流輸送時には製品の破損事故を防止する対策が採用されている。装置筐体の底面にはキャスターなどの支持部品が複数設けられ、製品を移動可能に且つ製品荷重を複数の支持点に分散させる構造が採られることが多い。この種の製品を物流輸送する際に、当該製品に落下などの衝撃が加わると、その衝撃力が装置筐体の外部突起であるキャスター等の支持部品から装置筐体を構成する枠材に伝達され、装置を破壊する恐れがあるため、この衝撃力を和らげるようにする手法が採られている。
この種の緩衝手法としては、特許文献１，２に示すように、キャスター構造として緩衝作用を奏するように工夫したり、装置筐体のうち例えばキャスターを備えた底面を含む部分の枠組みを頑丈に構成するようにしたり、更には、製品を梱包するに当たって、装置筐体の底部のキャスター付近に別途緩衝材を挟み込む手法が採用されている。
しかしながら、特許文献１，２のように、キャスター構造を工夫すると、必然的に装置筐体構造のコストが嵩む懸念があり、また、緩衝材を別途挟み込むと、その分、梱包される製品の高さが嵩むことから、製品の輸送効率が低下するという懸念もある。
【０００５】
本発明が解決しようとする技術的課題は、複数の支持手段を備えた装置筐体において、装置筐体の外部に緩衝材を配置することなく、支持手段から装置筐体に伝わる衝撃力を低減することにある。
【課題を解決するための手段】
【０００６】
請求項１に係る発明は、筐体枠手段にて枠組みされる装置筐体と、前記装置筐体の底部に位置する前記筐体枠手段に複数設けられ、前記装置筐体を複数箇所で支持する支持手段と、を備え、前記装置筐体の底部に位置する前記筐体枠手段のうち前記支持手段の支持位置に対応した箇所に開口するように設けられる凹部と、前記凹部内に設けられる粘弾性を有する緩衝手段と、を備えることを特徴とする装置筐体構造である。
【０００７】
請求項２に係る発明は、請求項１に係る装置筐体構造において、前記凹部内の前記緩衝手段を覆うように設けられ、前記筐体枠手段の弾性率よりも小さい弾性率で弾性変形する弾性変形手段を備えることを特徴とする装置筐体構造である。
請求項３に係る発明は、請求項２に係る装置筐体構造において、前記弾性変形手段は凹部の周縁に固定されることを特徴とする装置筐体構造である。
請求項４に係る発明は、請求項２に係る装置筐体構造において、前記弾性変形手段は前記支持手段の取付部を兼用することを特徴とする装置筐体構造である。
請求項５に係る発明は、請求項１乃至４のいずれかに係る装置筐体構造において、前記凹部は開口周縁部から開口中央部に向かって次第に深さが増加する形状を有することを特徴とする装置筐体構造である。
請求項６に係る発明は、請求項１乃至５のいずれかに係る装置筐体構造において、前記凹部は断面円形状の深さ方向に向かって内径が次第に窄まる円錐台状の空間を有することを特徴とする装置筐体構造である。
請求項７に係る発明は、請求項２乃至４のいずれかに係る装置筐体構造において、前記凹部の開口中央部の深さは前記弾性変形手段が弾性変形可能な範囲内に設定されていることを特徴とする装置筐体構造である。
請求項８に係る発明は、請求項１乃至７のいずれかに係る装置筐体構造と、前記装置筐体に組み込まれて予め決められた処理を行う処理部と、を備えたことを特徴とする処理装置である。
【発明の効果】
【０００８】
請求項１に係る発明によれば、複数の支持手段を備えた装置筐体において、装置筐体の外部に緩衝材を配置することなく、支持手段から装置筐体に伝わる衝撃力を低減することができる。
請求項２に係る発明によれば、凹部内に緩衝手段を封止することができ、支持手段からの衝撃力の加速度を低減し、かつ、前記衝撃力を緩衝手段で受け止めて当該緩衝手段の振動を低減することができる。
請求項３に係る発明によれば、凹部の周縁に弾性変形手段を保持した状態で弾性変形させることができる。
請求項４に係る発明によれば、支持手段の取付部を弾性変形手段として利用することができる。
請求項５に係る発明によれば、凹部が深さ方向に同一の断面形状を有する場合に比べて、凹部の内壁面全体を支持手段から衝撃力の受け面として利用でき、緩衝手段による緩衝作用を効果的に働かせることができる。
請求項６に係る発明によれば、凹部が円錐台状の空間を有しない場合に比べて、緩衝手段による緩衝作用を略均等に分散させることができる。
請求項７に係る発明によれば、弾性変形手段が塑性変形する事態を回避することができる。
請求項８に係る発明によれば、複数の支持手段を備えた装置筐体において、装置筐体の外部に緩衝材を配置することなく、支持手段から装置筐体に伝わる衝撃力を低減することが可能な装置筐体構造を用いた処理装置を提供することができる。
【図面の簡単な説明】
【０００９】
【図１】（ａ）は本発明が適用された装置筐体構造を用いた処理装置の実施の形態の概要を示す説明図、（ｂ）は（ａ）中Ｂ部拡大説明図である。
【図２】実施の形態１に係る処理装置としての画像形成装置の全体構成を示す説明図である。
【図３】実施の形態１に係る画像形成装置の装置筐体構造を示す説明図である。
【図４】実施の形態１で採用される装置筐体構造からキャスタを取り除いた装置筐体の底面構造を示す説明図である。
【図５】図４中Ｖ部で囲まれた箇所に相当する、実施の形態１で用いられるキャスタの支持構造を示す斜視説明図である。
【図６】同キャスタの支持構造の断面説明図である。
【図７】同キャスタ及びその支持構造を分解して示す説明図である。
【図８】（ａ）は同キャスタの取付状態を示す説明図、（ｂ）はキャスタの支持構造のうち弾性変形板の特性を模式的に示す説明図である。
【図９】（ａ）はキャスタから衝撃力が作用したときの支持構造の作用を模式的に示す説明図、（ｂ）はキャスタ支持構造による衝撃吸収特性を示す説明図である。
【図１０】（ａ）（ｂ）は実施の形態１で用いられるキャスタ支持構造の変形の形態１，２を示す説明図である。
【発明を実施するための形態】
【００１０】
◎実施の形態の概要
図１（ａ）は本発明が適用された装置筐体構造を含む処理装置の実施の形態の概要を示す。
同図において、処理装置は、筐体枠手段２にて枠組みされる装置筐体１と、装置筐体１の底部に位置する筐体枠手段２に複数設けられ、装置筐体１を複数箇所で支持する支持手段３と、が含まれる装置筐体構造を有し、装置筐体１に組み込まれて予め決められた処理を行う処理部８を備えたものである。
そして、本例では、装置筐体構造は、図１（ａ）（ｂ）に示すように、装置筐体１の底部に位置する筐体枠手段２のうち支持手段３の支持位置に対応した箇所に開口するように設けられる凹部４と、凹部４内に設けられる粘弾性を有する緩衝手段５と、を備えたものである。
【００１１】
このような技術的手段において、処理装置には、複数の支持手段３を備えた装置筐体構造が採用されたものであれば、画像形成装置に限らず広く含まれる。
ここで、装置筐体１は筐体枠手段２にて枠組みされるものであるが、筐体枠手段２にて一つの枠組みを構成してもよいし、複数の枠組み（例えば作像エンジンが搭載される作像筐体枠とは別に用紙供給容器が収容される容器筐体枠を連結可能に設けた態様）を連結部品で連結するようにしたものでもよい。
また、支持手段３の代表的態様としてはキャスタ（移動用部品）が挙げられるが、非移動（固定）用部品をも含む。そしてまた、支持手段３による支持位置は複数あればよいが、安定支持という観点からすれば３点以上、好ましくは４点以上がよい。
更に、凹部４の形状は任意でよいが、衝撃力を均等に分散させるという観点からすれば横断面円形が好ましい。
更にまた、緩衝手段５としてはゴム又はエラストマー又はゲルを素材とするものが挙げられる。
【００１２】
次に、本実施の形態に係る装置筐体構造の代表的態様又は好ましい態様について説明する。
本実施の形態において、装置筐体構造の好ましい態様としては、凹部４内の緩衝手段５を覆うように設けられ、筐体枠手段２の弾性率よりも小さい弾性率で弾性変形する弾性変形手段６を備える態様が挙げられる。本例の弾性変形手段６は、必須の構成要素ではないが、緩衝手段５を封止するため、凹部４内で緩衝手段５を固定する必要がないほか、緩衝手段５で直接的に衝撃力を吸収する場合に比べて、緩衝手段５に伝達される衝撃力の加速度及び緩衝手段５の振動を抑制する作用を奏する点で好ましい。
ここで、弾性変形手段６の好ましい態様としては、凹部４の周縁に固定される態様が挙げられる。本例は、凹部４に面した全領域を弾性変形手段６として機能させる点で好ましく、また、固定手法としては止め具を用いてもよいし、熔接などでもよい。
更に、弾性変形手段６の好ましい態様としては支持手段３の取付部を兼用する態様もある。本例は、弾性変形手段６として独自の部品を不要とする態様である。
【００１３】
また、凹部４の好ましい態様としては以下のものが挙げられる。
第１の態様は、凹部４が開口周縁部から開口中央部に向かって次第に深さが増加する形状を有するものである。本例は、凹部４の底面のみならず側周面をも支持手段３からの衝撃力の受け面として利用する態様である。
第２の態様は、凹部４が断面円形状の深さ方向に向かって内径が次第に窄まる円錐台状の空間を有するものである。本例は、緩衝手段５による緩衝作用を分散させる上で有効な態様である。
第３の態様は、弾性変形手段６を有する態様において、凹部４の開口中央部の深さは弾性変形手段６が弾性変形可能な範囲内に設定されているものである。本例は、弾性変形手段６による弾性変形作用を確保する上で有効な態様である。
【００１４】
以下、添付図面に示す実施の形態に基づいて本発明を更に詳細に説明する。
◎実施の形態１
−画像形成装置の全体構成−
図２は実施の形態１に係る処理装置としての画像形成装置の全体構成を示す。
同図において、画像形成装置２０は、装置筐体２１内に例えば複数の色成分画像を作製するための作像エンジン２２を搭載し、この作像エンジン２２の下方には用紙を供給するための用紙供給容器２３を配設し、当該用紙供給容器２３から供給された用紙を略鉛直方向に沿って延びる用紙搬送路２４を通じて搬送し、作像エンジン２２にて作製された画像を一括転写装置２５にて転写した後、用紙上に転写された画像を定着装置２６にて定着し、例えば装置筐体２１の上部に設けられた用紙排出受け２７に画像定着済みの用紙を排出するようにしたものである。
【００１５】
＜作像エンジン＞
本例において、作像エンジン２２は、電子写真方式を採用した複数の色成分（本例ではＹ（イエロ）、Ｍ（マゼンタ）、Ｃ（シアン）、Ｋ（ブラック））トナーによる複数の画像形成部３０（具体的には３０ａ〜３０ｄ）を有し、各画像形成部３０で作製した各色成分画像を中間転写体４０に一次転写した後、一括転写装置２５にて中間転写体４０上の画像を用紙に一括転写（二次転写）するようにしたものである。
本例において、画像形成部３０（３０ａ〜３０ｄ）は、例えばドラム状の感光体３１を有し、当該感光体３１の周囲には、当該感光体３１を帯電する帯電装置３２、帯電された感光体３１上に静電潜像を形成する潜像書込装置３３、感光体３１上に形成された静電潜像を各色成分トナーにて現像する現像装置３４、感光体３１に対向する中間転写体４０の裏面に設けられて感光体３１上の画像を中間転写体４０に一次転写する一次転写装置３５、及び、一次転写後に感光体３１上に残留するトナーを清掃する清掃装置３６を順次配設したものである。
尚、本例では、潜像書込装置３３としては各画像形成部３０に対して各色成分の静電潜像を対応するレーザ光で書き込む共用のレーザ走査装置が用いられているが、夫々別々に設けてもよいし、あるいは、ＬＥＤアレイにて書き込むようにしたものでもよいことは勿論である。また、符号３８（具体的には３８ａ〜３８ｄ）は各画像形成部３０（３０ａ〜３０ｄ）の各現像装置３４に対して各色成分トナーを補給するトナーカートリッジである。
【００１６】
更に、本例では、中間転写体４０は例えば複数の張架ロール４１〜４４に掛け渡されるベルト状部材からなり、例えば張架ロール４１を駆動ロールとして所定方向に循環回転可能に駆動され、また、張架ロール４３は中間転写体４０に所望の張力を付与する張力付与ロールとして機能するようになっている。
尚、符号４５は中間転写体４０上の残留物（トナーや紙粉等）を清掃する中間転写体用清掃装置である。
更にまた、本例では、一括転写装置２５は中間転写体４０の表面に従動回転可能に接触する転写ロール２５ａを有しており、中間転写体４０の張架ロール４２を対向電極とし、転写ロール２５ａと対向電極との間に所望の転写電界を形成することで、中間転写体４０上に保持された画像を用紙へと一括転写するようになっている。
また、用紙搬送路２４のうち一括転写装置２５の入口側には一括転写装置２５に送り込む用紙を位置合わせする位置合わせロール２８が設けられ、また、用紙搬送路２４の用紙排出受け２７の直前には排出ロール２９が設けられている。
【００１７】
−装置筐体構造−
また、本例では、装置筐体２１は、例えば図３に示すように、複数の筐体枠材５１ａにて枠組みされて作像エンジン２２を搭載する作像筐体枠５１と、この作像筐体枠５１の下方に設けられ、複数の筐体枠材５２ａにて枠組みされて用紙供給容器２３を収容する容器筐体枠５２とを図示外の連結部品を介して連結固定したものである。
そして、本例では、容器筐体枠５２の略矩形状の底部のうち各隅部付近には支持部品としてのキャスタ５５が取り付けられている。本例で用いられるキャスタ５５は装置筐体２１を移動可能に支持するものであって、装置筐体２１を複数箇所（本例では４箇所）で支持するものである。
【００１８】
−キャスタ−
本例において、キャスタ５５は、例えば図７に示すように、容器筐体枠５２の底部に取り付けるための取付板５６を有し、この取付板５６にベアリング５７を介して車輪ホルダ５８を回転可能に設けると共に、車輪ホルダ５８に車輪５９の車軸５９ａを回転可能に保持するようにしたものである。
【００１９】
−キャスタの支持部構造−
本例において、キャスタ５５の支持部構造は、図４乃至図７に示すように、容器筐体枠５２の底部に位置する筐体枠材５２ａのうち、キャスタ５５の支持位置に対応した箇所に開口するように設けられる凹部６０と、この凹部６０内に設けられる粘弾性を有する緩衝材７０と、凹部６０内の緩衝材７０を覆うように設けられて弾性変形する弾性変形板８０と、を備えている。
そして、本例では、キャスタ５５は、弾性変形板８０に取付板５６を固定することで取り付けられる。尚、取付板５６の固定手法としては、例えば図示外のねじ等の止め具を介して固定するようにすればよい。
【００２０】
＜容器筐体枠＞
本例において、容器筐体枠５２の底部に位置する筐体枠材５２ａには各隅部付近にキャスタ５５の支持位置Ｐｃが設定されているが、当該キャスタ５５の支持位置Ｐｃを含む筐体枠材５２ａの外周付近には下方側に張り出す断面Ｕ字状の補強用エンボス５２１が筐体枠材５２ａの外周に沿うように形成されており、更に、筐体枠材５２ａのうち補強用エンボス５２１と交差する一部あるいは補強用エンボス５２１に隣接する箇所には補強用エンボス５２１の張出方向とは逆方向に凹む補強用凹溝５２２や補強用エンボス５２１と同方向に張り出す更なる補強用エンボス５２３が適宜パターンにて形成されている。
このような補強用エンボス５２１，５２３や補強用凹溝５２２は筐体枠材５２ａの面剛性を高めるために設けられている。つまり、容器筐体枠５２の底部を構成する筐体枠材５２ａは、作像エンジン２２が搭載された作像筐体枠５１を支持する必要があることから、作像筐体枠５１に比べて高い剛性をもって頑丈に構成されている。
尚、筐体枠材５２ａの周縁には補強用の折曲フランジ５２４が設けられている。
【００２１】
＜凹部＞
本例において、凹部６０は、図４乃至図７に示すように、直径ｄ１（例えば６０〜１００ｍｍであり、キャスタ５５よりも大きい。）の円形状開口６１周縁部から開口６１中央部に向かって次第に深さが増加する形状を有している。具体的には、断面円形状の深さ方向に向かって次第に窄まる円錐台状の空間を有している。ここで、円錐台状の空間については適宜選定して差し支えないが、例えば凹部６０の底面は直径ｄ１の１／３〜２／３程度の範囲で適宜選定され、また、深さｈは後述するように弾性変形板８０の物性に基づいて適宜選定される。
【００２２】
＜緩衝材＞
また、本例において、緩衝材７０としては粘弾性を有する素材で形成されていればよく、弾性ゴムあるいはエラストマーあるいは樹脂ゲルの中から適宜選定するようにすればよい。ここで、緩衝材７０としては凹部６０の円錐台状の空間形状と略同等になるように予め成形されていればよい。本例において、緩衝材７０はキャスタ５５から伝達される衝撃力を可能な限り吸収する物性を要する必要がある。
【００２３】
＜弾性変形板＞
更に、本例では、弾性変形板８０は、図４乃至図７に示すように、例えば凹部６０の円形状開口の直径ｄ１よりも大きい直径ｄ２の円板からなり、例えば容器筐体枠５２の筐体枠材５２ａ（例えばヤング率２００ＧＰａ前後の板金を使用）と同程度の剛性をもつ材料で、筐体枠材５２ａの厚さｔ１よりも薄い厚さｔ２の弾性板材を使用し、筐体枠材５２ａに比べて弾性変形し易くなっている。尚、本例では、筐体枠材５２ａと同程度の構成を持つ材料の厚さを薄くすることで弾性変形し易いものを選定しているが、これに限られるものではなく、筐体枠材５２ａとは異なる剛性の材料を用いて、例えば筐体枠材５２ａよりも厚い板厚の弾性板材を使用するようにしてもよいことは勿論である。
そして、本例では、弾性変形板８０は、凹部６０内に緩衝材７０を収容した後、凹部６０内の緩衝材７０を封止するように凹部６０の開口６１を覆い、凹部６０の開口周縁部にねじ等の止め具（図示せず）を介して固定されている。尚、弾性変形板８０の固定手法としては止め具を用いずに熔接などで固着するようにしてもよいことは勿論である。
【００２４】
また、弾性変形板８０に必要な物性としては以下のように選定することが好ましい。
例えば図８（ｂ）に示すように、凹部６０内に緩衝材７０を収容しないで凹部６０の開口周縁部に弾性変形板８０を固定したと仮定すると、キャスタ５５からの衝撃力が弾性変形板８０に伝達したとき、弾性変形板８０の凹部６０に面した箇所は、図８（ｂ）に仮想線で示すように弾性変形することになる。
このとき、弾性変形板８０の最大弾性変形量ｍが少なくとも凹部６０の深さｈよりも少なくなるように凹部６０の深さｈを選定するようにすれば、弾性変形板８０がキャスタ５５から衝撃力を受けたとしても、弾性変形板８０は塑性変形せずに弾性変形するため、衝撃力の伝達がなくなると、弾性変形板８０は初期位置に復帰する。
【００２５】
−キャスタ支持部構造の作用−
次に、本実施の形態に係るキャスタ支持部構造の作用について説明する。
今、本実施の形態に係る画像形成装置を梱包して物流輸送する場合を想定する。
このとき、図９（ａ）に示すように、キャスタ５５から衝撃力Ｆが装置筐体２１に伝達されたとすると、衝撃力Ｆは先ず弾性変形板８０を弾性変形させながら、凹部６０内の緩衝材７０に伝達される。
この状態において、弾性変形板８０が図９（ａ）に仮想線で示すように弾性変形すると、図９（ｂ）に示すように、キャスタ５５から衝撃力Ｆが急激な加速度α（ｍ／ｓ２）をもって弾性変形板８０に作用した後、弾性変形板８０の弾性変形により衝撃力の加速度αが低減する。
そして、弾性変形板８０の弾性変形は凹部６０内の緩衝材７０で受け止められ、図９（ｂ）に示すように、緩衝材７０の粘弾性変形により衝撃力Ｆが減衰させられ、緩衝材７０による緩衝作用により衝撃吸収量Ｑが増加する。このため、緩衝材７０から弾性変形板８０への反発力は少なく、弾性変形板８０の振動は抑制される。また、緩衝材７０は衝撃力Ｆを吸収するため、緩衝材７０を用いない態様に比べて、衝撃力Ｆに対する弾性変形板８０の変形量は小さく抑えられる。
【００２６】
特に、本例では、凹部６０は開口６１周縁部から開口６１中央部に向かって次第に深さが増加する形状を有するため、緩衝材７０に伝達された衝撃力Ｆは凹部６０の底面６２のみならず側周面６３の全ての内壁面で受け止められることになり、その分、衝撃力Ｆが受け止められる受け面の面積が増加し、容器筐体枠５２に伝達される応力が少なく抑えられる。このため、衝撃力Ｆが容器筐体枠５２から作像筐体枠５１へと伝達されたとしても、衝撃力Ｆが少ない分、容器筐体枠５２より剛性の低い作像筐体枠５１が不必要に変形するという懸念はない。
更に、本実施の形態では、凹部６０は断面円形状の深さ方向に向かって内径が次第に窄まる円錐台状の空間を有しているため、凹部６０の側周面６３で受け止められる緩衝材７０による緩衝作用が円周方向に亘って略均等に分散することになり、その分、緩衝材７０による緩衝作用がばらつきにくくなる。
【００２７】
◎変形の形態１，２
本実施の形態では、キャスタ５５の支持部構造は前述したように構成されているが、これに限定されるものではなく、例えば図１０（ａ）（ｂ）に示すように構成することも可能である。
変形の形態１は、図１０（ａ）に示すように、キャスタ５５の取付板５６を弾性変形板８０として兼用するようにしたものである。本例では、キャスタ５５の取付板５６の構成として弾性変形板８０としても機能する物性を付与するようにすればよく、弾性変形板８０を独自の部品として用意する必要がなくなる。
【００２８】
変形の形態２は、図１０（ｂ）に示すように、凹部６０内に緩衝材７０を例えば接着剤７１を利用して固着し、この緩衝材７０に対してキャスタ５５を取り付けるようにしたものである。
本例では、弾性変形板８０を使用しない態様であるため、緩衝材７０は凹部６０内に予め固着しておくことが必要である。本例の場合、キャスタ５５からの衝撃力は凹部６０内の緩衝材７０に直接作用して吸収されるため、緩衝材７０による緩衝作用によりキャスタ５５からの衝撃力は減衰させられる。このため、本例であっても、キャスタ５５からの衝撃力が容器筐体枠５２から作像筐体枠５１へと過剰に伝達されることはなく、作像筐体枠５１が衝撃力によって変形する懸念はほとんどない。
【符号の説明】
【００２９】
１…装置筐体，２…筐体枠手段，３…支持手段，４…凹部，５…緩衝手段，６…弾性変形手段，８…処理部
【図１】
2019166957.tif 000003
【図２】
2019166957.tif 000004
【図３】
2019166957.tif 000005
【図４】
2019166957.tif 000006
【図５】
2019166957.tif 000007
【図６】
2019166957.tif 000008
【図７】
2019166957.tif 000009
【図８】
2019166957.tif 000010
【図９】
2019166957.tif 000011
【図１０】
2019166957.tif 000012